(57)【要約】【課題】  綴じ孔を有する紙葉類を容易に綴じ込むことができ、長期間にわたって綴じ込んだ紙葉類の落下を防止することを可能にしたホルダーファイルを提供すること。【解決手段】  可撓性シート体２０からなり、少なくとも２つの綴じ孔５２を有する紙葉類が綴じ込み可能なホルダーファイル１０であって、可撓性シート体２０を折り曲げる折曲線３０と、起立基部４０Ａが少なくとも２つの綴じ孔５２の位置に位置合わせされていると共に、可撓性シート体２０の平面内において折曲線３０に対して所要角度傾斜する方向に延伸し、可撓性シート体２０の面外方向に起立可能な綴じ孔挿通片４０と、が形成されていることを特徴とするホルダーファイル１０である。【選択図】図１
2018001439.tif 000002
【特許請求の範囲】
【請求項１】
可撓性シート体からなり、少なくとも２つの綴じ孔を有する紙葉類が綴じ込み可能なホルダーファイルであって、
前記可撓性シート体を折り曲げる折曲線と、
起立基部が前記少なくとも２つの綴じ孔の位置に位置合わせされていると共に、前記可撓性シート体の平面内において前記折曲線に対して所要角度傾斜する方向に延伸し、前記可撓性シート体の面外方向に起立可能な綴じ孔挿通片と、が形成されていることを特徴とするホルダーファイル。
【請求項２】
前記綴じ孔挿通片は、前記可撓性シート体から起立させる前の状態において、前記可撓性シート体からの前記起立基部の位置よりも先端部の位置を前記折曲線に近づけた状態で形成されていることを特徴とする請求項１記載のホルダーファイル。
【請求項３】
前記綴じ孔挿通片の幅方向両端縁を規定する第１綴じ孔挿通片形成線と第２綴じ孔挿通片形成線の長さが異なることを特徴とする請求項１または２記載のホルダーファイル。
【請求項４】
前記折曲線よりも前記可撓性シート体の外側位置には前記折曲線に平行な補助折曲線が形成されていることを特徴とする請求項１〜３のうちのいずれか一項に記載のホルダーファイル。
【請求項５】
前記綴じ孔挿通片の前記可撓性シート体からの前記起立基部の位置は、前記補助折曲線の位置に形成されていることを特徴とする請求項４記載のホルダーファイル。
【請求項６】
前記補助折曲線は、前記補助折曲線の長手方向において前記綴じ孔挿通片と重複する範囲の一部で不連続になっていることを特徴とする請求項４または５記載のホルダーファイル。
【発明の詳細な説明】
【技術分野】
【０００１】
本発明はホルダーファイルに関し、より詳細には綴じ孔が穿設されている紙葉類を綴じ込む際に用いて好適なホルダーファイルに関する。
【背景技術】
【０００２】
紙葉類にいわゆるパンチ穴を穿設して簡易にファイルにとじ込みする際等において用いられるホルダーファイルとしては、特許文献１や特許文献２に開示されているような構成のものが知られている。これら特許文献１および２に開示されているホルダーファイルは、ホルダーファイルに綴じ込んだ紙葉類の落下を防ぐための構成を備えている。
【先行技術文献】
【特許文献】
【０００３】
【特許文献１】実用新案登録第３１２６７０５号公報
【特許文献２】特開２０１０−２７４５３５号公報
【発明の概要】
【発明が解決しようとする課題】
【０００４】
特許文献１のホルダーファイル１００においては、図５に示すように、ホルダーファイル１００の裏表紙１２０Ｂに裏表紙１２０Ｂから起立可能な綴じ孔に挿通させる部分（以下、綴じ孔挿通体１４０という）を略Ｌ字形に形成することで綴じ込んだ紙葉類（図示せず）の落下防止対策としている。これに対して特許文献２のホルダーファイル１００においては、図６に示すようにホルダーファイル１００の裏表紙１２０Ｂに裏表紙１２０Ｂから起立可能な綴じ孔挿通体１４０を設けると共に、表紙１２０Ａに綴じ孔挿通体１４０の先端を差し込む切込１６０を設け、紙葉類１５０の綴じ孔に挿通させた後の綴じ孔挿通体１４０を切込１６０に挿通させることで綴じ込んだ紙葉類１５０の落下防止対策としている。
【０００５】
特許文献１に開示されているホルダーファイルにおいては、Ｌ字型に形成された２本の綴じ孔挿通体１４０の先端部は互いに離反した状態で配設されている。したがって、綴じ孔挿通体１４０を紙葉類の綴じ孔に挿通させる際は、綴じ孔挿通体１４０を弾性変形させる等しなければならず、紙葉類の綴じ込みが煩雑になるといった課題を有している。また、綴じ込むべき紙葉類の枚数が少ないと、綴じ孔挿通体１４０の裏表紙１２０Ｂからの起立部分で紙葉類がスライドするように動き、紙葉類に形成されている綴じ孔が破損してしまうといった課題もある。
【０００６】
また、特許文献２に開示されているホルダーファイル１００においては、切込１６０に挿通させた綴じ孔挿通体１４０の見た目が悪い。また、紙葉類１５０に綴じ孔挿通体１４０を挿通させた後、さらに切込１６０にも綴じ孔挿通体１４０を挿通させなければならず煩雑である。さらには、継続的なホルダーファイル１００の使用により表紙１２０Ａに設けた切込１６０が裂けてしまうと、綴じ込んだ紙葉類１５０の落下防止対策として機能しなくなってしまうといった課題がある。
【０００７】
そこで本発明は、綴じ孔を有する紙葉類を綴じ込む際に用いて好適であって、紙葉類の綴じ込みが容易であって、綴じ込むべき紙葉類の枚数が少ない場合であっても、紙葉類を安定的に保持することが可能で、しかも、長期間にわたって綴じ込んだ紙葉類の落下を防止することを可能にしたホルダーファイルの提供を目的としている。
【課題を解決するための手段】
【０００８】
発明者が上記課題を解決するため鋭意研究した結果、以下の構成に想到した。
すなわち、本発明は、可撓性シート体からなり、少なくとも２つの綴じ孔を有する紙葉類が綴じ込み可能なホルダーファイルであって、前記可撓性シート体を折り曲げる折曲線と、起立基部が前記少なくとも２つの綴じ孔の位置に位置合わせされていると共に、前記可撓性シート体の平面内において前記折曲線に対して所要角度傾斜する方向に延伸し、前記可撓性シート体の面外方向に起立可能な綴じ孔挿通片と、が形成されていることを特徴とするホルダーファイルである。
【０００９】
これにより、少なくとも２つの綴じ孔を有する紙葉類の綴じ込み作業を簡単に行うことができ、綴じ込むべき紙葉類の枚数が少ない場合であっても安定的に紙葉類を保持することが可能であると共に、綴じ込んだ後の紙葉類の落下を防止することができる。
【００１０】
また、前記綴じ孔挿通片は、前記可撓性シート体から起立させる前の状態において、前記可撓性シート体からの前記起立基部の位置よりも先端部の位置を前記折曲線に近づけた状態で形成されていることが好ましい。
【００１１】
これにより、綴じ込んだ後の紙葉類の落下をさらに確実に防止することができる。
【００１２】
また、前記綴じ孔挿通片の幅方向両端縁を規定する第１綴じ孔挿通片形成線と第２綴じ孔挿通片形成線の長さが異なることが好ましい。
【００１３】
これにより、綴じ孔挿通片が可撓性シート体からの起立する部分（起立基部）における第１綴じ孔挿通片形成線の先端部および第２綴じ孔挿通片形成線の先端部の離間距離を可及的に長くすることができるため、ホルダーファイルを繰り返し使用しても綴じ孔挿通片が可撓性シート体から離脱してしまう（千切れてしまう）ことを防ぐことができる。
【００１４】
また、前記折曲線よりも前記可撓性シート体の外側位置には前記折曲線に平行な補助折曲線が形成されていることが好ましい。
【００１５】
これにより、いわゆるクリアファイル型としての使用形態のみならず、背表紙を有する製本型の形態やいわゆるレールファイル型またはバーファイル型としての使用形態も可能になり、ホルダーファイルとしての使用形態のバリエーションを増加させることができる。
【００１６】
また、前記綴じ孔挿通片の前記可撓性シート体からの前記起立基部位置は、前記補助折曲線の位置に形成されていることが好ましい。
【００１７】
これにより、いわゆるレールファイル型やバーファイル型の使用形態時において、表紙の折り曲げ位置を紙葉類に対して適切な位置関係に揃えることができるため、紙葉類の閲覧がしやすくなる。
【００１８】
また、前記補助折曲線は、前記補助折曲線の長手方向において前記綴じ孔挿通片と重複する範囲の一部で不連続になっていることが好ましい。
【００１９】
これにより、綴り孔を有する紙葉類のホルダーファイルとして継続的に使用したとしても、綴じ孔挿通片の起立部分が可撓性シート体から離脱することが防止できる。
【発明の効果】
【００２０】
本発明にかかるホルダーファイルの構成を採用することにより、綴じ孔を有する紙葉類を綴じ込む際において用いて好適であって、紙葉類の綴じ込みが容易で、綴じ込むべき紙葉類の枚数が少ない場合であっても安定的に紙葉類を保持することが可能であると共に、長期間にわたって綴じ込んだ紙葉類の落下を防止することができる。また、補助折曲線を採用することによりホルダーファイルの使用形態のバリエーションを増加させることができる。
【図面の簡単な説明】
【００２１】
【図１】第１実施形態におけるホルダーファイルの流通時における（折り曲げ前）平面図である。
【図２】第１実施形態におけるホルダーファイルの使用状態を示す説明図である。
【図３】第２実施形態におけるホルダーファイルの流通時における平面図である。
【図４】第３実施形態におけるホルダーファイルの流通時における平面図である。
【図５】特許文献１記載のホルダーファイルの概略構成を示す説明図である。
【図６】特許文献２記載のホルダーファイルの概略構成を示す説明図である。
【発明を実施するための形態】
【００２２】
以下に、本発明にかかるホルダーファイルの実施形態について図面に基づきながら説明する。
【００２３】
（第１実施形態）
本実施形態はいわゆるクリアファイル型のホルダーファイル１０である。図１は、本実施形態におけるホルダーファイルの流通時における平面図である。図１に示す可撓性シート体２０を所要位置で折り曲げることによりホルダーファイル１０を得ることができる。本実施形態にかかるホルダーファイル１０は、ポリプロピレン製等の透明または半透明の合成樹脂製の可撓性シート体２０の一部に、折曲線３０および綴じ孔挿通片４０が形成されたものである。なお、本明細書中における可撓性シート体２０は人力で撓ませることが可能な程度の可撓性を有していればよく、可撓性シート体２０の肉厚寸法も特に限定されるものではない。すなわち、ここでの可撓性シート体２０とは、いわゆるフィルム状のものやプレート状のものを含むものである。
【００２４】
図１に示すように、可撓性シート体２０は矩形状をなし、幅方向端辺２２の中心位置において可撓性シート体２０の平面内で幅方向端辺２２に直交する折曲線３０が配設されている。図１においては、折曲線３０により可撓性シート体２０を幅方向に折り畳むことにより、可撓性シート体２０を表紙２０Ａと裏表紙２０Ｂとに区分している。ここでは、互いに対向する２つの幅方向端辺２２のそれぞれに連通するようにして折曲線３０を形成しているが、折曲線３０の両端部を幅方向端辺２２に連通させないようにしてもよい。
【００２５】
折曲線３０の中途位置には、綴じ込み対象物であるいわゆる２穴パンチ（図示せず）で２つの綴じ孔５２が形成された綴じ孔付紙資料５０を綴じ込むための綴じ孔挿通片４０が形成されている。綴じ孔挿通片４０は、綴じ孔付紙資料５０の綴じ孔５２の位置（折曲線３０の長手方向を略３等分する位置）に起立基部４０Ａが位置合わせされていると共に、折曲線３０に対して可撓性シート体２０の平面内において所要角度傾斜する方向に延伸させた状態に形成されている。綴じ孔挿通片４０は、可撓性シート体２０から起立可能に形成されている。
【００２６】
折曲線３０および綴じ孔挿通片４０のそれぞれの長手方向における中心線により形成される角度は特に限定されるものではないが、１０°未満の所要角度であることが好ましい。また、同角度は４〜６°の範囲であることがさらに好ましい。本実施形態においては、折曲線３０および綴じ孔挿通片４０のそれぞれの長手方向の中心線により形成される角度を５°とし、綴じ孔挿通片４０の長手方向寸法を４０ｍｍとしている。
【００２７】
図１からも明らかであるが、綴じ孔挿通片４０は、可撓性シート体２０から起立させる前の状態において、可撓性シート体２０から起立させる部分である起立基部４０Ａの位置よりも先端部４０Ｂの位置を折曲線３０に近づけた状態で形成されている。図１に示すように、本実施形態における綴じ孔挿通片４０は、先端部４０Ｂどうしが互いに離反する平面視ハの字型に形成されている。このような綴じ孔挿通片４０を採用することにより、図２に示すようにホルダーファイル１０の使用時において、折曲線３０部分が下側になる場合を除いて、綴じ孔付紙資料５０を綴じ込んだ後の綴じ孔挿通片４０が綴じ孔付紙資料５０の落下を妨げる矢印Ａ方向の力を作用させることができる。なお、折曲線３０が下側になる場合は、折曲線３０（可撓性シート体２０）が綴じ孔付紙資料５０を保持することになる。このように、本実施形態におけるホルダーファイル１０によれば、ホルダーファイル１０からの綴じ孔付紙資料５０の落下を好適に防止することができるのである。
【００２８】
また、本実施形態においては、綴じ孔挿通片４０の幅方向両端縁を規定する第１綴じ孔挿通片形成線４２と第２綴じ孔挿通片形成線４４の長さ寸法を異ならせている。このようにすることで、綴じ孔挿通片４０の起立基部４０Ａの位置において、第１綴じ孔挿通片形成線４２および第２綴じ孔挿通片形成線４４の第１の先端部どうしの最短離間距離を可及的に長くする（綴じ孔挿通片４０の幅寸法よりも大きくする）ことができる。これにより、綴じ孔挿通片４０を繰り返し使用しても第１綴じ孔挿通片形成線４２および第２綴じ孔挿通片形成線４４の第１の先端部どうしが連通して可撓性シート体２０から綴じ孔挿通片４０が離脱して（千切れて）しまうことを防止することができ好都合である。
【００２９】
第１綴じ孔挿通片形成線４２および第２綴じ孔挿通片形成線４４のそれぞれの先端部分に丸孔（図示せず）を形成することによっても、第１綴じ孔挿通片形成線４２および第２綴じ孔挿通片形成線４４のそれぞれの第１の先端部分どうしの連通を防止することができる。
【００３０】
第１綴じ孔挿通片形成線４２および第２綴じ孔挿通片形成線４４の第２の先端部どうしは円弧線４６により連結されている。これにより、綴じ孔付紙資料５０の綴じ孔５２に綴じ孔挿通片４０の先端部４０Ｂを挿通させる際に、綴じ孔挿通片４０の先端部４０Ｂを綴じ孔５２の内周部分に引っかかりにくくすることができる。なお、第１綴じ孔挿通片形成線４２と第２綴じ孔挿通片形成線４４と円弧線４６とは、いずれも輪郭線が可撓性シート体２０にハーフカットまたはミシン目により形成されていて、ユーザが道具を使わずに可撓性シート体２０から綴じ孔挿通片４０を可撓性シート体２０の面外方向に起立させることができるようになっている。
【００３１】
（第２実施形態）
図３は第２実施形態にかかるホルダーファイル１０の流通時における平面図である。本実施形態においては、第１実施形態と共通する構成部分については第１実施形態で用いた符号を付すことによりここでの詳細な説明を省略している。
【００３２】
本実施形態にかかるホルダーファイル１０は、図３に示すように、可撓性シート体２０の幅方向中央部分に幅方向端辺２２に対して直交する２本の折曲線３０が平行に配設されている点が特徴的である。このように２本の折曲線３０を平行に配設することにより、背表紙２０Ｃを有するホルダーファイル１０を形成することができる。このとき、２本の折曲線３０に挟まれている部分にマットニス加工等を施せば、背表紙２０Ｃにホルダーファイル１０の見出しの貼付や記入がし易くすることができ好都合である。
【００３３】
本実施形態においては、２本の折曲線３０を平行に配設した形態について説明しているが、３本以上の折曲線３０を平行に配設することもできる。このように３本以上の折曲線３０を配設することにより、綴じ孔付紙資料５０の綴じ込み枚数に応じて背表紙２０Ｃの幅寸法を選択することが可能になる。
【００３４】
（第３実施形態）
図４は第３実施形態にかかるホルダーファイル１０の流通時における平面図である。本実施形態においては、第１実施形態または第２実施形態と共通する構成部分については第１実施形態または第２実施形態で用いた符号を付すことによりここでの詳細な説明を省略している。
【００３５】
本実施形態にかかるホルダーファイル１０は、図４に示すように、２本の折曲線３０が平行に配設されていることに加え、２本の折曲線３０よりもさらに可撓性シート体２０の外側位置に折曲線３０に平行な補助折曲線３２が配設されている点が特徴的である。本実施形態にかかるホルダーファイル１０は、綴じ孔５２を形成することができない紙葉類を綴じ込みする際に、図示しないレールを２つ折りした可撓性シート体２０の折曲線３０と補助折曲線３２との間に装着すればよい。これにより、いわゆるレールファイル型またはスライドレール型もしくはバーファイル型のホルダーファイル１０を形成することができる。このとき紙葉類は図示しないレールにより挟持された状態になっているので、綴じ孔挿通片４０を可撓性シート体２０から起立させなくてもよい。
【００３６】
図４に示すように、裏表紙２０Ｂに形成された補助折曲線３２は、可撓性シート体２０における綴じ孔挿通片４０の起立基部４０Ａの位置（より詳細には第２綴じ孔挿通片形成線４４）と交差する平面位置に配設されている。補助折曲線３２と第２綴じ孔挿通片形成線４４とが直接交差すると、第２綴じ孔挿通片形成線４４が補助折曲線３２と連通し、結果として綴じ孔挿通片４０が可撓性シート体２０から離脱するおそれがある。そこで本実施形態においては、補助折曲線３２と綴じ孔挿通片４０とが補助折曲線３２の長手方向において重複する部分の所定位置で補助折曲線３２を分断させているのである。
【００３７】
ここでは、綴じ孔挿通片４０の先端部４０Ｂ側から起立基部４０Ａに向って綴じ孔挿通片４０の長さの３分の１の位置で補助折曲線３２を分断した。補助折曲線３２の分断位置は特に限定されるものではないが、綴じ孔挿通片４０の先端部４０Ｂを起点として起立基部４０Ａ側に向って綴じ孔挿通片４０の長さ寸法の３分の１〜３分の２程度の位置であることが好ましい。
【００３８】
このように、補助折曲線３２は、補助折曲線３２の長手方向において綴じ孔挿通片４０と重複する範囲（綴じ孔挿通片４０の配設範囲に重複する部分）の一部で不連続になる状態で形成されている。これにより、綴じ孔挿通片４０の起立基部４０Ａ（第２綴じ孔挿通片形成線４４）と補助折曲線３２とが連通して、綴じ孔挿通片４０が可撓性シート体２０から脱落してしまうことを防止することができる。
【００３９】
以上に本発明にかかるホルダーファイル１０について実施形態に基づいて詳細に説明を行ったが、本発明の技術的範囲は、以上の実施形態に限定されるものではない。例えば、以上の実施形態においては、可撓性シート体２０の材料として透明な合成樹脂製シートであるポリプロピレン製のシートを用いているが、これに限定されるものではない。可撓性シート体２０は、透明であるか否かを問わず、適度な可撓性を有する材料によりフィルム状またはシート状もしくはプレート状に形成されていればよく、任意の材料を採用することができる。
【００４０】
また、以上の実施形態においては、折曲線３０は可撓性シート体２０を幅方向に折り畳む形態について説明しているが、可撓性シート体２０を高さ方向に折り畳むようにした形態を採用することもできる。
【００４１】
また、以上の実施形態においては、矩形状の可撓性シート体２０を用いているが、可撓性シート体２０の平面形状は矩形状に限定されるものではない。さらに、折曲線３０は可撓性シート体２０の幅方向における中央位置である必要はなく、綴じ孔付紙資料５０を被覆することができれば、可撓性シート体２０の任意の位置に折曲線３０を配設することもできる。さらにまた、折曲線３０は幅方向端辺２２に対して可撓性シート体２０の平面内において直交する方向に形成されていなくてもよい。
【００４２】
さらに、以上の実施形態においては、ホルダーファイル１０への綴じ込み対象物である綴じ孔５２を有する紙葉類として、パンチ穴を有する綴じ孔付紙資料５０を用いた形態について説明しているが、綴じ孔５２を有する紙葉類はいわゆるルーズリーフのような多数の綴じ孔５２を有する紙葉類や、合成樹脂製等の紙以外の材料により形成された紙葉類を採用することもできる。綴じ孔挿通片４０は、すべての綴じ孔５２に挿通させることもできるし、多数の綴じ孔５２のうち一部の複数の綴じ孔５２に挿通させるようにすればよい。
【００４３】
また、図４は裏表紙２０Ｂに長手方向に沿って３箇所に補助折曲線３２が配設されているホルダーファイル１０の形態を示しているが、この形態に限定されるものではない。裏表紙２０Ｂの補助折曲線３２は、配設方向の両端部（幅方向端辺２２に隣接する部分）または配設方向の中間部分（綴じ孔挿通片４０と綴じ孔挿通片４０との間の部分）のいずれか、またはすべての配設を省略することもできる。
【００４４】
また、以上の実施形態や各種変形例を組み合わせた形態を採用することも可能である。
【符号の説明】
【００４５】
１０  ホルダーファイル
２０  可撓性シート体
２０Ａ  表紙
２０Ｂ  裏表紙
２０Ｃ  背表紙
２２  幅方向端辺
３０  折曲線
３２  補助折曲線
４０  綴じ孔挿通片
４０Ａ  起立基部
４０Ｂ  先端部
４２  第１綴じ孔挿通片形成線
４４  第２綴じ孔挿通片形成線
４６  円弧線
５０  綴じ孔付紙資料
５２  綴じ孔
【図１】
2018001439.tif 000003
【図２】
2018001439.tif 000004
【図３】
2018001439.tif 000005
【図４】
2018001439.tif 000006
【図５】
2018001439.tif 000007
【図６】
2018001439.tif 000008